(57)【特許請求の範囲】
【請求項１】
通行区分帯・ゾーンに設置された突起物を設置せずとも、平面の図形・画像又は絵を視覚により立体的に見せ、自転車又は歩行者の通行を区分する通行区分帯・ゾーンにあたかも立体物があるかのように見せ、一方の通行区分帯・ゾーンから他方の通行区分帯・ゾーンに侵入しにくくさせ分離する順番整列方法。
【請求項２】
立体視覚による通行区分帯・ゾーンにペイント・テープ・タイル等の部材を用いる請求項１記載の順番整列方法。
【請求項３】
立体視覚による通行区分帯・ゾーンに蛍光塗料やＬＥＤ等の部材を用いる請求項１記載の順番整列方法。
【請求項４】
立体視覚による通行区分帯・ゾーンに付随又は近くにこの通行区分帯・ゾーンに侵入した際に振動や音・音声等の報知手段で知らせる事で、乗り上げても危険のない突起又はセンサーを兼ね備える請求項１記載の順番整列方法。
【請求項５】
請求項１〜４記載の順番整列方法に用いる製品。
【請求項６】
請求項１〜５記載の順番整列方法に用いる製品の組み合わせセット。
【発明の詳細な説明】
【技術分野】
【０００１】  通行帯の立体視覚による分離方法とその方法による製品に関する。
【背景技術】
【０００２】  近年自動車道路での自動車と自転車の事故や歩道での自転車と歩行者との事故が増え、また、放置自転車等の対策や事故を減少させる方法が要望されている。【０００３】  これまでのコンクリートブロックや実用新案公開平５−９４３１５、特許公開２００１−８１７４３、特許公開平５−３４６００９のように道路上に突起物として設定し、路面を分離したものがあるが、自動車・自転車・歩行者が乗り上げ転倒する危険性がある。【０００４】  また、特許公開平５−２２２７１０が運搬性や使用性に優れている道路標識として、特許公開平５−６４９６が視認識性および経済性を改良するとして、特許公開２００４−２８５８０２が安全で的確な車線変更が出来るとしてそれぞれ出されている。【０００５】  そして、特許公開２０１２−２５１３４５の交差点接近通知（路面色変更）システム、特許公開２００３−１１９７３２の車両進入防止システム、実用新案公開平５−４７０１５の路面．舗道面の標識板もある。【０００６】  さらに、センサーや検査装置を利用した特許公開平６−３３０５１１の路面誘導皮膜とその利用装置、特許公開平５−３３４６００の自動車の路外接近警報装置、特許公開平５−３１４３８８の車両感知装置、特許公開平５−４６２４２の白線検出装置、特許公開平５−２８２５９３の車頭検出装置、特許公開平５−２８１３５１の車両の情報認識装置がある。【０００７】  公開文献２のメタモルフォーシスにより、自動車から速度規制など平面的な視覚で注意を促しているものもある。【０００８】  放置自転車や駐輪場問題で、監視委員が巡回して注意や整理をしている。【０００９】  放置自転車・違法駐車自動車対策に道路標識コーンやバリケード、注意看板等を設置しているところもある。【００１０】  劇場・店舗・駅等での切符や買い物品のレジなどでは、白線を引いたり、テープ等で順番整列をさせている。
【先行技術文献】
【特許文献】
【００１１】
【特許文献１】  実用新案公開平５−９４３１５
【特許文献２】  特許公開２００１−８１７４３
【特許文献３】  特許公開平５−３４６００９
【特許文献４】  特許公開平５−２２２７１０
【特許文献５】  特許公開平５−６４９６
【特許文献６】  特許公開２００４−２８５８０２
【特許文献７】  特許公開２０１２−２５１３４５
【特許文献８】  特許公開２００３−１１９７３２
【特許文献９】  実用新案公開平５−４７０１５
【特許文献１０】  特許公開平６−３３０５１１
【特許文献１１】  特許公開平５−３３４６００
【特許文献１２】  特許公開平５−３１４３８８
【特許文献１３】  特許公開平５−４６２４２
【特許文献１４】  特許公開平５−２８２５９３
【特許文献１５】  特許公開平５−２８１３５１
【公開文献１】
インターネット検索「衝撃の平面画像」ｈｔｔｐ：／／ｙｏｕｐｏｕｃｈ．ｃｏｍ／２０１２／１２／０４／９４２９５／
【公開文献２】
だまし絵の描き方入門  誠文堂新光社  杉原厚吉書  Ｐ８２〜Ｐ８３  メタモルフォーシス
【発明の概要】
【発明が解決しようとする課題】
【００１２】  発明が解決しようとする課題は、先行特許文献等のようにコンクリートブロック等の突起物の設置、交差点接近通知（路面色変更）システム、車両進入防止システム、センサーや検査装置、白線検出装置、車頭検出装置、車両の情報認識装置等必要とせず平面の図形・画像・絵などを視覚により立体的に見せ自動車・自転車・歩行者などの通行路を分離、放置自転車・違法駐車自動車対策、劇場・店舗・駅等での切符や買い物品のレジなどでの順番整列方法。
【課題を解決するための手段】
【００１３】  上記目的を達成するために、通行区分帯・ゾーンや順番整列帯・ゾーンにあたかも立体物があるかのように見せ、走行中の通行区分路から他の通行区分帯やゾーンに侵入しにくくさせる。【００１４】  また、上記目的を達成するために、立体視覚による分離帯・ゾーンをペイント・テープ・タイル等を用いて、夜間などは蛍光塗料や埋め込まれたＬＥＤ等で見えやすくする。【００１５】  道路面だけでなく、壁や柱・天井等にも利用し、出入り口や方向指示等を視覚により立体的に見せる。【００１６】  電光掲示板のように任意な形状や情報も伝達できるようにする。【００１７】  立体視覚による分離帯・ゾーンを単体で用いるほかに、その立体視覚による分離帯・ゾーンと付随又は近くにこの分離帯・ゾーンに侵入すると振動や音・音声等で知らせる乗り上げても危険のない突起やセンサーを併せ備えて、より効果を発揮すること。【００１８】  放置自転車・違法駐車自動車対策、劇場・店舗・駅等での切符や買い物品のレジなどの順番整列では、立体視覚による分離帯・ゾーンに似顔絵・仏像等踏んだり、侵入しにくい画像や絵等を用いる。
【発明の効果】
【００１９】  誤って他の通行帯・ゾーンに侵入したとしても、従来のように構造物にぶつかることが無く、怪我や物損事故もない。【００２０】  荷降ろしでの一時駐車も可能であり、商店街への影響も少ない。【００２１】  立体視覚による分離帯・ゾーンの平面に描くものは図形・画像・絵等多方面にわたり、草木や季節の花を立体視覚にすると、花壇や植木をする必要が無い。【００２２】  交通安全や速度規制・広告等に伝達・活用し、さらにゲーム演劇等にも応用出来る。【００２３】  構造物でないため図５−Ａのごとく、交差点上に設置することにより、自動車と自転車・歩行者等の巻き込み事故も大幅に防ぐことが出来る。【００２４】  放置自転車・違法駐車自動車対策、劇場・店舗・駅等での切符や買い物品のレジなどの順番整列等で活用できる。
【図面の簡単な説明】
【００２５】
【図１】  立体視覚による正面平面図。
【図２】  立体視覚による正面平面図を右９０度回転させた図。
【図３】  立体視覚による正面平面図を右１８０度回転させた図。
【図４】  立体視覚による正面平面図を右２７０度回転させた図。
【図５】  立体視覚による分離帯を道路面に設置した図
【発明を実施するための形態】
【００２６】  平面でも通行区分帯・ゾーンにあたかも立体物があるかのように見せ、走行中の通行区分路から他の通行区分帯・ゾーンに侵入しにくくさせる。
【実施例】
【００２７】  図１の平面図を描き通行路に複数個設置し、走行実験をしたところあたかも立体物があるかのように感じ、区分帯・ゾーンを守って走行するようになった。【００２８】  歩行者と自転車との並行走行でも歩行者・自転車共に立体物があるかように感じ、相手の通行区分・ゾーンを侵すこともなく、交差点でのぶつかり現象もなかった。
【産業上の利用可能性】
【００２９】  道路の通行区分・ゾーンがこれまでの平面ペイントに比べ、視覚による立体物の効果で交通安全がはかれる。【００３０】  構造物設置より経済的で設置場所の変更も簡単で、しかも季節感や速度規制・広告等広く伝達・活用し、さらにゲーム演劇等にも応用出来る。【００３１】  放置自転車・違法駐車自動車対策、劇場・店舗・駅等での切符や買い物品のレジなどの順番整列等で活用できる。
【符号の説明】
【００３２】１  平面立体視覚図のシート絵
２  平面立体視覚図の立体絵
３  歩道
４  自転車道
５  自動車道
６  立体視覚による分離帯
Ａ  交差点上に設置した立体視覚による分離帯
【要約】
【課題】  コンクリートブロック等の突起物の設置、交差点接近通知（路面色変更）システム、車両進入防止システム、センサーや検査装置、白線検出装置、車頭検出装置、車両の情報認識装置等必要とせず平面の図形・画像・絵などを視覚により立体的に見せ自動車・自転車・歩行者などの通行路を分離、放置自転車・違法駐車自動車対策、劇場・店舗・駅等での切符や買い物品のレジなどでの順番整列方法。
【解決手段】  通行区分帯・ゾーンや順番整列帯・ゾーンにあたかも立体物があるかのように見せ、走行中の通行区分路から他の通行区分帯やゾーンに侵入しにくくさせる。
【選択図】図５【図１】
0005457584.tif 000002
【図２】
0005457584.tif 000003
【図３】
0005457584.tif 000004
【図４】
0005457584.tif 000005
【図５】
0005457584.tif 000006